(57)【要約】【課題】移動局に対して所定の無線アクセスネットワークを利用した通信が許容されていない場合に、かかる無線アクセスネットワークへのハンドオーバを行わず、通信の切断の発生を回避する。【解決手段】本発明の移動通信方法は、移動局ＵＥが、ＵＴＲＡＮを収容する交換局ＳＧＳＮに対して、Ｅ-ＵＴＲＡＮに対応可能である旨を示す能力情報を含む第１位置登録要求信号を送信する工程と、交換局ＳＧＳＮが、移動局ＵＥに対して、Ｅ-ＵＴＲＡＮを利用した通信が許容されていない旨を示す情報を含む位置登録拒否信号を送信する工程と、移動局ＵＥが、位置登録拒否信号に応じて、交換局ＳＧＳＮに対して、Ｅ-ＵＴＲＡＮに対応不能である旨を示す能力情報を含む第２位置登録要求信号を送信する工程とを有する。【選択図】図４
2010263604.tif 000002
【特許請求の範囲】
【請求項１】
移動局が、第１無線アクセスネットワークを収容する交換局に対して、第２無線アクセスネットワークに対応可能である旨を示す能力情報を含む第１位置登録要求信号を送信する工程と、
前記交換局が、前記移動局に対して、前記第２無線アクセスネットワークを利用した通信が許容されていない旨を示す情報を含む位置登録拒否信号を送信する工程と、
前記移動局が、前記位置登録拒否信号に応じて、前記交換局に対して、前記第２無線アクセスネットワークに対応不能である旨を示す能力情報を含む第２位置登録要求信号を送信する工程と、
前記交換局が、前記第２位置登録要求信号に応じて、前記移動局の第１無線アクセスネットワークに対する位置登録処理を行う工程とを有することを特徴とする移動通信方法。
【請求項２】
前記交換局が、前記移動局に対して前記第２無線アクセスネットワークを利用した通信が許容されているか否かについて判定する工程を有することを特徴とする請求項１に記載の移動通信方法。
【請求項３】
所定サーバ装置が、前記交換局からの要求に応じて、前記移動局に対して前記第２無線アクセスネットワークを利用した通信が許容されているか否かについて判定し、該判定結果を該交換局に通知する工程を有することを特徴とする請求項１に記載の移動通信方法。
【請求項４】
前記交換局が、前記第１位置登録要求信号に含まれる移動局識別子に基づいて、該交換局又は所定サーバ装置のどちらが、前記移動局に対して前記第２無線アクセスネットワークを利用した通信が許容されているか否かについて判定すべきかを決定する工程を有することを特徴とする請求項２又は３に記載の移動通信方法。
【請求項５】
第１無線アクセスネットワークを収容する交換局に対して、第２無線アクセスネットワークに対応可能である旨を示す能力情報を含む第１位置登録要求信号を送信するように構成されている送信部と、
前記交換局から、前記第２無線アクセスネットワークを利用した通信が許容されていない旨を示す情報を含む位置登録拒否信号を受信するように構成されている受信部とを具備し、
前記送信部は、前記位置登録拒否信号に応じて、前記交換局に対して、前記第２無線アクセスネットワークに対応不能である旨を示す能力情報を含む第２位置登録要求信号を送信するように構成されていることを特徴とする移動局。
【請求項６】
第１無線アクセスネットワークを収容する交換局であって、
移動局から、第２無線アクセスネットワークに対応可能である旨を示す能力情報を含む第１位置登録要求信号を受信するように構成されている受信部と、
前記移動局に対して前記第２無線アクセスネットワークを利用した通信が許容されていない旨を示す情報を含む位置登録拒否信号を送信するように構成されている送信部と、
前記移動局によって前記位置登録拒否信号に応じて送信された前記第２無線アクセスネットワークに対応不能である旨を示す能力情報を含む第２位置登録要求信号に応じて、該移動局の第１無線アクセスネットワークに対する位置登録処理を行うように構成されている位置登録処理部とを具備することを特徴とする交換局。
【請求項７】
前記移動局に対して前記第２無線アクセスネットワークを利用した通信が許容されているか否かについて判定するように構成されている判定部を具備することを特徴とする請求項６に記載の交換局。
【請求項８】
前記判定部は、前記第１位置登録要求信号に含まれる移動局識別子に基づいて、前記交換局又は所定サーバ装置のどちらが、前記移動局に対して前記第２無線アクセスネットワークを利用した通信が許容されているか否かについて判定すべきかを決定するように構成されていることを特徴とする請求項７に記載の交換局。
【請求項９】
移動局が、第１無線アクセスネットワークを収容する交換局に対して、第２無線アクセスネットワークに対応可能である旨を示す能力情報を含む位置登録要求信号を送信する工程と、
前記交換局が、前記位置登録要求信号に応じて、前記移動局の第１無線アクセスネットワークに対する位置登録処理を行う工程と、
前記交換局が、前記移動局に対して前記第２無線アクセスネットワークを利用した通信が許容されていない旨を示す情報を含む位置登録完了信号を送信する工程と、
前記移動局が、前記位置登録完了信号に応じて、管理している能力情報を、前記第２無線アクセスネットワークに対応可能である旨を示す能力情報から、該第２無線アクセスネットワークに対応不能である旨を示す能力情報に変更する工程とを有することを特徴とする移動通信方法。
【請求項１０】
前記交換局が、前記移動局に対して前記第２無線アクセスネットワークを利用した通信が許容されているか否かについて判定する工程を有することを特徴とする請求項９に記載の移動通信方法。
【請求項１１】
所定サーバ装置が、前記交換局からの要求に応じて、前記移動局に対して前記第２無線アクセスネットワークを利用した通信が許容されているか否かについて判定し、該判定結果を該交換局に通知する工程を有することを特徴とする請求項９に記載の移動通信方法。
【請求項１２】
前記交換局が、前記位置登録要求信号に含まれる移動局識別子に基づいて、該交換局又は所定サーバ装置のどちらが、前記移動局に対して前記第２無線アクセスネットワークを利用した通信が許容されているか否かについて判定すべきかを決定する工程を有することを特徴とする請求項１０又は１１に記載の移動通信方法。
【請求項１３】
第２無線アクセスネットワークに対応可能であるか否かについて示す能力情報を管理するように構成されている管理部と、
第１無線アクセスネットワークを収容する交換局に対して、前記第２無線アクセスネットワークに対応可能である旨を示す能力情報を含む位置登録要求信号を送信するように構成されている送信部と、
前記交換局から、前記第２無線アクセスネットワークを利用した通信が許容されていない旨を示す情報を含む位置登録完了信号を受信するように構成されている受信部とを具備し、
前記管理部は、前記位置登録完了信号に応じて、管理している能力情報を、前記第２無線アクセスネットワークに対応可能である旨を示す能力情報から、該第２無線アクセスネットワークに対応不能である旨を示す能力情報に変更するように構成されていることを特徴とする移動局。
【請求項１４】
第１無線アクセスネットワークを収容する交換局であって、
移動局から、第２無線アクセスネットワークに対応可能である旨を示す能力情報を含む位置登録要求信号を受信するように構成されている受信部と、
前記位置登録要求信号に応じて、前記移動局の第１無線アクセスネットワークに対する位置登録処理を行うように構成されている位置登録処理部と、
前記移動局に対して、前記第２無線アクセスネットワークを利用した通信が許容されていない旨を示す情報を含む位置登録完了信号を送信するように構成されている送信部とを具備することを特徴とする交換局。
【請求項１５】
前記移動局に対して前記第２無線アクセスネットワークを利用した通信が許容されているか否かについて判定するように構成されている判定部を具備することを特徴とする請求項１４に記載の交換局。
【請求項１６】
前記判定部は、前記第１位置登録要求信号に含まれる移動局識別子に基づいて、該交換局又は所定サーバ装置のどちらが、前記移動局に対して前記第２無線アクセスネットワークを利用した通信が許容されているか否かについて判定すべきかを決定するように構成されていることを特徴とする請求項１５に記載の交換局。
【請求項１７】
移動局が、無線アクセスネットワークを収容する交換局に対して、該無線アクセスネットワークに対応可能である旨を示す能力情報を含む位置登録要求信号を送信する工程Ａと、
前記交換局が、前記移動局に対して、前記無線アクセスネットワークを利用した通信が許容されていない旨を示す情報を含む位置登録拒否信号を送信する工程Ｂと、
前記移動局が、前記位置登録拒否信号に応じて、管理している能力情報を、前記無線アクセスネットワークに対応可能である旨を示す能力情報から、該無線アクセスネットワークに対応不能である旨を示す能力情報に変更する工程Ｃとを有することを特徴とする移動通信方法。
【請求項１８】
前記工程Ｃにおいて、前記移動局は、前記位置登録拒否信号に第１拒否理由が含まれている場合には、恒久的に、管理している能力情報を、前記無線アクセスネットワークに対応可能である旨を示す能力情報から、該無線アクセスネットワークに対応不能である旨を示す能力情報に変更し、
前記工程Ｃにおいて、前記移動局は、前記位置登録拒否信号に第２拒否理由が含まれている場合には、一時的に、管理している能力情報を、前記無線アクセスネットワークに対応可能である旨を示す能力情報から、該無線アクセスネットワークに対応不能である旨を示す能力情報に変更することを特徴とする請求項１７に記載の移動通信方法。
【請求項１９】
無線アクセスネットワークに対応可能であるか否かについて示す能力情報を管理するように構成されている管理部と、
前記無線アクセスネットワークを収容する交換局に対して、該無線アクセスネットワークに対応可能である旨を示す能力情報を含む位置登録要求信号を送信するように構成されている送信部と、
前記交換局から、前記無線アクセスネットワークを利用した通信が許容されていない旨を示す情報を含む位置登録拒否信号を受信するように構成されている受信部とを具備し、
前記管理部は、前記位置登録拒否信号に応じて、管理している能力情報を、前記無線アクセスネットワークに対応可能である旨を示す能力情報から、該無線アクセスネットワークに対応不能である旨を示す能力情報に変更するように構成されていることを特徴とする移動局。
【請求項２０】
前記管理部は、前記位置登録拒否信号に第１拒否理由が含まれている場合には、恒久的に、管理している能力情報を、前記無線アクセスネットワークに対応可能である旨を示す能力情報から、該無線アクセスネットワークに対応不能である旨を示す能力情報に変更するように構成されており、
前記管理部は、前記位置登録拒否信号に第２拒否理由が含まれている場合には、一時的に、管理している能力情報を、前記無線アクセスネットワークに対応可能である旨を示す能力情報から、該無線アクセスネットワークに対応不能である旨を示す能力情報に変更するように構成されていることを特徴とする請求項１９に記載の移動局。
【請求項２１】
無線アクセスネットワークを収容する交換局であって、
移動局から、前記無線アクセスネットワークに対応可能である旨を示す能力情報を含む位置登録要求信号を受信するように構成されている受信部と、
前記移動局に対して前記無線アクセスネットワークを利用した通信を許可しないと判断した場合には、該移動局に対して、該無線アクセスネットワークを利用した通信が許容されていない旨を示す情報を含む位置登録拒否信号を送信するように構成されている送信部とを具備することを特徴とする交換局。
【請求項２２】
前記移動局が、他の無線アクセスネットワークに対応可能である場合には、前記送信部は、第１拒否理由を含む前記位置登録拒否信号を送信するように構成されており、
前記移動局が、他の無線アクセスネットワークに対応可能でない場合には、前記送信部は、第２拒否理由を含む前記位置登録拒否信号を送信するように構成されていることを特徴とする請求項２１に記載の交換局。
【発明の詳細な説明】
【技術分野】
【０００１】
本発明は、移動通信方法、移動局及び交換局に関する。
【背景技術】
【０００２】
図１６を参照して、３ＧＰＰで規定されている移動通信システムにおいて、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）及びＥ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容するＥＰＣ（Ｅｖｏｌｖｅｄ  Ｐａｃｋｅｔ  Ｃｏｒｅ）ネットワークにおいて、移動局ＵＥがＵＴＲＡＮに対してＡｔｔａｃｈ処理を行う動作について説明する。
【０００３】
図１６に示すように、ステップＳ５００１において、Ｅ-ＵＴＲＡＮを利用してＥＰＣネットワークへ接続する能力（ＥＰＳ能力）を有する移動局ＵＥ（すなわち、Ｅ-ＵＴＲＡＮに対応可能である移動局ＵＥ）が、ＵＴＲＡＮを収容する交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信し、ステップＳ５００２において、交換局ＳＧＳＮが、受信した「Ａｔｔａｃｈ  Ｒｅｑｕｅｓｔ」から、「ＭＳ  Ｎｅｔｗｏｒｋ  Ｃａｐａｂｉｌｉｔｙ」を取得する。
【０００４】
ステップＳ５００３において、移動局ＵＥに対する認証処理及び秘匿処理が行われた後、ステップＳ５００４において、交換局ＳＧＳＮが、ホーム加入者サーバＨＳＳに対して、「Ｕｐｄａｔｅ  Ｌｏｃａｔｉｏｎ  Ｒｅｑｕｅｓｔ」を送信する。
【０００５】
ホーム加入者サーバＨＳＳは、移動局ＵＥのＵＴＲＡＮに対して位置登録処理を行った後、ステップＳ５００５において、交換局ＳＧＳＮに対して「Ｕｐｄａｔｅ  Ｌｏｃａｔｉｏｎ  Ａｃｋ」を送信する。
【０００６】
ステップＳ５００６において、交換局ＳＧＳＮが、移動局ＵＥに対して、移動局ＵＥのＵＴＲＡＮへのＡｔｔａｃｈ処理が完了したことを示す「Ａｔｔａｃｈ  Ａｃｃｅｐｔ」を送信する。
【０００７】
ここで、例えば、ステップＳ５００２、或いは、ステップＳ５００４及びステップＳ５００５において、移動局ＵＥに対してＥ-ＵＴＲＡＮを利用した通信のみが許容されていないと判断した場合でも、その旨を「Ａｔｔａｃｈ  Ａｃｃｅｐｔ」によって、移動局ＵＥに対して通知することができないため、ステップＳ５００７において、移動局ＵＥは、Ｅ-ＵＴＲＡＮを利用した通信が許容されていないことを認識することができない。
【先行技術文献】
【非特許文献】
【０００８】
【非特許文献１】３ＧＰＰ  ＴＳ２３.０６０
【非特許文献２】３ＧＰＰ  ＴＳ２４.００８
【発明の概要】
【発明が解決しようとする課題】
【０００９】
ここで、図１７及び図１８を参照して、上述の移動通信システムにおける問題点について説明する。
【００１０】
第１に、図１７に示すように、移動局ＵＥが、ステップＳ６０００において、ＵＴＲＡＮを介して通信を開始した後、ステップＳ６００１において、Ｅ-ＵＴＲＡＮのカバーエリアに移動したことに起因して、ＵＴＲＡＮからＥ-ＵＴＲＡＮへのハンドオーバ処理を実施せずに無線切り替えを行うことを決定した場合、ステップＳ６００２において、Ｅ-ＵＴＲＡＮを収容する交換局ＭＭＥに対して、「ＴＡ  Ｕｐｄａｔｅ」を送信する。
【００１１】
ステップＳ６００３において、Ｅ-ＵＴＲＡＮを収容する交換局ＭＭＥが、交換局ＳＧＳＮから、「ＭＳ  Ｎｅｔｗｏｒｋ  Ｃａｐａｂｉｌｉｔｙ」を含む移動局ＵＥのコンテキスト情報を取得する。
【００１２】
ステップＳ６００４において、移動局ＵＥに対する認証処理及び秘匿処理が行われた後、ステップＳ６００５において、交換局ＭＭＥとゲートウェイ装置Ｐ-ＧＷとの間のベアラ設定処理が行われる。
【００１３】
ステップＳ６００６において、交換局ＭＭＥが、ホーム加入者サーバＨＳＳに対して、「Ｕｐｄａｔｅ  Ｌｏｃａｔｉｏｎ  Ｒｅｑｕｅｓｔ」を送信する。
【００１４】
ステップＳ６００７において、移動局ＵＥのＵＴＲＡＮに対して位置登録処理を行った後、ホーム加入者サーバＨＳＳが、交換局ＭＭＥに対して、「Ｕｐｄａｔｅ  Ｌｏｃａｔｉｏｎ  Ａｎｓｗｅｒ」を送信する。
【００１５】
ここで、例えば、ステップＳ６００３、或いは、ステップＳ６００６及びステップＳ６００７において、移動局ＵＥに対してＥ-ＵＴＲＡＮを利用した通信が許容されていないと判断した場合、交換局ＭＭＥが、「ＥＰＳ  ｓｅｒｖｉｃｅｓ  ｎｏｔ  ａｌｌｏｗｅｄ」を含む「ＴＡＵ  Ｒｅｊｅｃｔ」を送信する。
【００１６】
ステップＳ６００９において、移動局ＵＥによって行われていた通信が切断され、ステップＳ６０１０において、移動局ＵＥは、次回電源再投入等を実施しない限り、ＥＰＣネットワークへ接続を実施しない。
【００１７】
第２に、図１８に示すように、移動局ＵＥが、ステップＳ７０００において、ＵＴＲＡＮを介して通信を開始した後、ステップＳ７００１において、Ｅ-ＵＴＲＡＮのカバーエリアに移動したことに起因して、ＵＴＲＡＮからＥ-ＵＴＲＡＮへのハンドオーバ処理を行うことを決定した場合、ステップＳ７００２において、Ｅ-ＵＴＲＡＮを収容する交換局ＭＭＥに対する「ＨＯ  Ｐｒｅｐａｒａｔｉｏｎ手順」を行う。
【００１８】
ステップＳ７００３において、交換局ＳＧＳＮが、交換局ＭＭＥに対して、「Ｆｏｒｗａｒｄ  Ｒｅｌｏｃａｔｉｏｎ  Ｒｅｑｕｅｓｔ」によって、「ＭＳ  Ｎｅｔｗｏｒｋ  Ｃａｐａｂｉｌｉｔｙ」を含む移動局ＵＥのコンテキスト情報を通知する。
【００１９】
ステップ７００４において、「ＨＯ  Ｐｒｅｐａｒａｔｉｏｎ手順」及び「ハンドオーバ実行手順」が行われる。
【００２０】
ステップＳ７００５において、上述のハンドオーバが完了した後、ステップＳ７００６において、移動局ＵＥが、交換局ＭＭＥに対して、「ＴＡ  Ｕｐｄａｔｅ」を送信する。
【００２１】
ステップＳ７００７において、交換局ＭＭＥが、ホーム加入者サーバＨＳＳに対して、「Ｕｐｄａｔｅ  Ｌｏｃａｔｉｏｎ  Ｒｅｑｕｅｓｔ」を送信する。
【００２２】
ステップＳ７００８において、移動局ＵＥのＵＴＲＡＮに対して位置登録処理を行った後、ホーム加入者サーバＨＳＳが、交換局ＭＭＥに対して、「Ｕｐｄａｔｅ  Ｌｏｃａｔｉｏｎ  Ａｎｓｗｅｒ」を送信する。
【００２３】
ここで、ステップＳ７００３あるいはステップＳ７００７およびステップＳ７００８において、移動局ＵＥに対してＥ-ＵＴＲＡＮを利用した通信が許容されていないと判断した場合、交換局ＭＭＥが、「ＥＰＳ  ｓｅｒｖｉｃｅｓ  ｎｏｔ  ａｌｌｏｗｅｄ」を含む「ＴＡＵ  Ｒｅｊｅｃｔ」を送信する。
【００２４】
ステップＳ７０１０において、移動局ＵＥによって行われていた通信が切断され、ステップＳ７０１１において、移動局ＵＥは、次回電源再投入等を実施しない限り、ＥＰＣネットワークへ接続を実施しない。
【００２５】
上述のように、従来の移動通信システムでは、移動局ＵＥが、Ｅ-ＵＴＲＡＮを利用した通信が許容されていないと判断された場合であっても、そのことを認識することができないため、移動局ＵＥのＥ-ＵＴＲＡＮへのハンドオーバ時に、通信の切断が生じてしまい、電源再投入等を実施しない限りＵＴＲＡＮ及びＥ-ＵＴＲＡＮのいずれを利用しても通信ができないという問題点があった。
【００２６】
そこで、本発明は、上述の課題に鑑みてなされたものであり、移動局に対して所定の無線アクセスネットワークを利用した通信が許容されていない場合に、かかる無線アクセスネットワークへのハンドオーバを行わず、通信の切断の発生及び電源再投入等を実施しない限りＵＴＲＡＮ及びＥ-ＵＴＲＡＮのいずれを利用しても通信ができないという事象を回避することができる移動通信方法、移動局及び交換局を提供することを目的とする。
【課題を解決するための手段】
【００２７】
本発明の第１の特徴は、移動通信方法であって、移動局が、第１無線アクセスネットワークを収容する交換局に対して、第２無線アクセスネットワークに対応可能である旨を示す能力情報を含む第１位置登録要求信号を送信する工程と、前記交換局が、前記移動局に対して、前記第２無線アクセスネットワークを利用した通信が許容されていない旨を示す情報を含む位置登録拒否信号を送信する工程と、前記移動局が、前記位置登録拒否信号に応じて、前記交換局に対して、前記第２無線アクセスネットワークに対応不能である旨を示す能力情報を含む第２位置登録要求信号を送信する工程と、前記交換局が、前記第２位置登録要求信号に応じて、前記移動局の第１無線アクセスネットワークに対する位置登録処理を行う工程とを有することを要旨とする。
【００２８】
本発明の第２の特徴は、移動局であって、第１無線アクセスネットワークを収容する交換局に対して、第２無線アクセスネットワークに対応可能である旨を示す能力情報を含む第１位置登録要求信号を送信するように構成されている送信部と、前記交換局から、前記第２無線アクセスネットワークを利用した通信が許容されていない旨を示す情報を含む位置登録拒否信号を受信するように構成されている受信部とを具備し、前記送信部は、前記位置登録拒否信号に応じて、前記交換局に対して、前記第２無線アクセスネットワークに対応不能である旨を示す能力情報を含む第２位置登録要求信号を送信するように構成されていることを要旨とする。
【００２９】
本発明の第３の特徴は、第１無線アクセスネットワークを収容する交換局であって、移動局から、第２無線アクセスネットワークに対応可能である旨を示す能力情報を含む第１位置登録要求信号を受信するように構成されている受信部と、前記移動局に対して前記第２無線アクセスネットワークを利用した通信が許容されていない旨を示す情報を含む位置登録拒否信号を送信するように構成されている送信部と、前記移動局によって前記位置登録拒否信号に応じて送信された前記第２無線アクセスネットワークに対応不能である旨を示す能力情報を含む第２位置登録要求信号に応じて、該移動局の第１無線アクセスネットワークに対する位置登録処理を行うように構成されている位置登録処理部とを具備することを要旨とする。
【００３０】
本発明の第４の特徴は、移動通信方法であって、移動局が、第１無線アクセスネットワークを収容する交換局に対して、第２無線アクセスネットワークに対応可能である旨を示す能力情報を含む位置登録要求信号を送信する工程と、前記交換局が、前記位置登録要求信号に応じて、前記移動局の第１無線アクセスネットワークに対する位置登録処理を行う工程Ａと、前記交換局が、前記移動局に対して前記第２無線アクセスネットワークを利用した通信が許容されていない旨を示す情報を含む位置登録完了信号を送信する工程Ｂと、前記移動局が、前記位置登録完了信号に応じて、管理している能力情報を、前記第２無線アクセスネットワークに対応可能である旨を示す能力情報から、該第２無線アクセスネットワークに対応不能である旨を示す能力情報に変更する工程Ｃとを有することを要旨とする。
【００３１】
本発明の第５の特徴は、移動局であって、第２無線アクセスネットワークに対応可能であるか否かについて示す能力情報を管理するように構成されている管理部と、第１無線アクセスネットワークを収容する交換局に対して、前記第２無線アクセスネットワークに対応可能である旨を示す能力情報を含む位置登録要求信号を送信するように構成されている送信部と、前記交換局から、前記第２無線アクセスネットワークを利用した通信が許容されていない旨を示す情報を含む位置登録完了信号を受信するように構成されている受信部とを具備し、前記管理部は、前記位置登録完了信号に応じて、管理している能力情報を、前記第２無線アクセスネットワークに対応可能である旨を示す能力情報から、該第２無線アクセスネットワークに対応不能である旨を示す能力情報に変更するように構成されていることを要旨とする。
【００３２】
本発明の第６の特徴は、第１無線アクセスネットワークを収容する交換局であって、移動局から、第２無線アクセスネットワークに対応可能である旨を示す能力情報を含む位置登録要求信号を受信するように構成されている受信部と、前記位置登録要求信号に応じて、前記移動局の第１無線アクセスネットワークに対する位置登録処理を行うように構成されている位置登録処理部と、前記移動局に対して、前記第２無線アクセスネットワークを利用した通信が許容されていない旨を示す情報を含む位置登録完了信号を送信するように構成されている送信部とを具備することを要旨とする。
【００３３】
本発明の第７の特徴は、移動通信方法であって、移動局が、無線アクセスネットワークを収容する交換局に対して、該無線アクセスネットワークに対応可能である旨を示す能力情報を含む位置登録要求信号を送信する工程と、前記交換局が、前記移動局に対して、前記無線アクセスネットワークを利用した通信が許容されていない旨を示す情報を含む位置登録拒否信号を送信する工程と、前記移動局が、前記位置登録拒否信号に応じて、管理している能力情報を、前記無線アクセスネットワークに対応可能である旨を示す能力情報から、該無線アクセスネットワークに対応不能である旨を示す能力情報に変更する工程とを有することを要旨とする。
【００３４】
本発明の第８の特徴は、移動局であって、無線アクセスネットワークに対応可能であるか否かについて示す能力情報を管理するように構成されている管理部と、前記無線アクセスネットワークを収容する交換局に対して、該無線アクセスネットワークに対応可能である旨を示す能力情報を含む位置登録要求信号を送信するように構成されている送信部と、前記交換局から、前記無線アクセスネットワークを利用した通信が許容されていない旨を示す情報を含む位置登録拒否信号を受信するように構成されている受信部とを具備し、前記管理部は、前記位置登録拒否信号に応じて、管理している能力情報を、前記無線アクセスネットワークに対応可能である旨を示す能力情報から、該無線アクセスネットワークに対応不能である旨を示す能力情報に変更するように構成されていることを要旨とする。
【００３５】
本発明の第９の特徴は、無線アクセスネットワークを収容する交換局であって、移動局から、前記無線アクセスネットワークに対応可能である旨を示す能力情報を含む位置登録要求信号を受信するように構成されている受信部と、前記移動局に対して前記無線アクセスネットワークを利用した通信を許可しないと判断した場合には、該移動局に対して、該無線アクセスネットワークを利用した通信が許容されていない旨を示す情報を含む位置登録拒否信号を送信するように構成されている送信部とを具備することを要旨とする。
【発明の効果】
【００３６】
以上説明したように、本発明によれば、移動局に対して所定の無線アクセスネットワークを利用した通信が許容されていない場合に、かかる無線アクセスネットワークへのハンドオーバを行わず、通信の切断の発生及び電源再投入等を実施しない限りＵＴＲＡＮ及びＥ-ＵＴＲＡＮのいずれを利用しても通信ができないという事象を回避することができる移動通信方法、移動局及び交換局を提供することができる。
【図面の簡単な説明】
【００３７】
【図１】本発明の第１の実施形態に係る移動通信システムの全体構成図である。
【図２】本発明の第１の実施形態に係る交換局ＳＧＳＮの機能ブロック図である。
【図３】本発明の第１の実施形態に係る移動局ＵＥの機能ブロック図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の変更例１に係る移動通信システムの動作を示すシーケンス図である。
【図７】本発明の変更例１に係る移動通信システムの動作を示すシーケンス図である。
【図８】本発明の変更例２に係る移動通信システムの動作を示すシーケンス図である。
【図９】本発明の変更例３に係る移動通信システムの動作を示すシーケンス図である。
【図１０】本発明の変更例３に係る移動通信システムによって解決される課題について説明するための図である。
【図１１】本発明の変更例３に係る移動通信システムの動作を示すシーケンス図である。
【図１２】本発明の変更例４に係る移動通信システムの動作を示すシーケンス図である。
【図１３】本発明の変更例４に係る移動通信システムの動作を示すシーケンス図である。
【図１４】本発明の変更例５に係る移動通信システムの動作を示すシーケンス図である。
【図１５】本発明の変更例５に係る移動通信システムの動作を示すシーケンス図である。
【図１６】従来の移動通信システムの動作を示すシーケンス図である。
【図１７】従来の移動通信システムの問題点を説明するための図である。
【図１８】従来の移動通信システムの問題点を説明するための図である。
【発明を実施するための形態】
【００３８】
（本発明の第１の実施形態に係る移動通信システムの構成）
図１乃至図３を参照して、本発明の第１の実施形態に係る移動通信システムの構成について説明する。
【００３９】
図１に示すように、本実施形態に係る移動通信システムでは、ＵＴＲＡＮ（第１無線アクセスネットワーク）及びＥ-ＵＴＲＡＮ（第２無線アクセスネットワーク）が混在している。
【００４０】
例えば、本実施形態に係る移動通信システムは、ゲートウェイ装置Ｐ-ＧＷと、ゲートウェイ装置Ｓ-ＧＷと、ホーム加入者サーバ（所定サーバ装置）ＨＳＳと、ＵＴＲＡＮを収容する交換局ＳＧＳＮと、ＵＴＲＡＮの無線回線制御局ＲＮＣと、ＵＴＲＡＮの無線基地局ＮｏｄｅＢと、Ｅ-ＵＴＲＡＮを収容する交換局ＭＭＥと、Ｅ-ＵＴＲＡＮの無線基地局ｅＮＢとを具備している。
【００４１】
図２に示すように、交換局ＳＧＳＮは、受信部１１と、判定部１２と、ＨＳＳインターフェイス１３と、送信部１４とを具備している。
【００４２】
受信部１１は、移動局ＵＥから、「ＭＳ  Ｎｅｔｗｏｒｋ  Ｃａｐａｂｉｌｉｔｙ」を含む「Ａｔｔａｃｈ  Ｒｅｑｕｅｓｔ」を受信するように構成されている。
【００４３】
ここで、「ＭＳ  Ｎｅｔｗｏｒｋ  Ｃａｐａｂｉｌｉｔｙ」の１つとして設定可能な「ＥＰＣ  Ｃａｐａｂｉｌｉｔｙ」は、移動局ＵＥがＥ-ＵＴＲＡＮに対応可能であるか否かについて示す能力情報（例えば、１ビット）である。
【００４４】
例えば、「ＭＳ  Ｎｅｔｗｏｒｋ  Ｃａｐａｂｉｌｉｔｙ」内に「ＥＰＣ  Ｃａｐａｂｉｌｉｔｙ：１」が設定されている場合、移動局ＵＥがＥ-ＵＴＲＡＮに対応可能であることを示し、「ＭＳ  Ｎｅｔｗｏｒｋ  Ｃａｐａｂｉｌｉｔｙ」内に「ＥＰＣ  Ｃａｐａｂｉｌｉｔｙ：０」が設定されている場合、移動局ＵＥがＥ-ＵＴＲＡＮに対応不能であることを示してもよい。
【００４５】
判定部１２は、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に含まれる識別情報（例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＧＵＴＩ（Ｇｒｏｂａｌｌｙ  Ｕｎｉｑｕｅ  Ｔｅｍｐｏｒａｒｙ  ＵＥ  Ｉｄｅｎｔｉｔｙ）等）に基づいて、交換局ＳＧＳＮ又はホーム加入者サーバＨＳＳのどちらが、移動局ＵＥに対してＥ-ＵＴＲＡＮを利用した通信が許容されているか否かについて判定すべきかを決定するように構成されている。
【００４６】
例えば、判定部１２は、上述のＩＭＳＩに基づいて、かかる「Ａｔｔａｃｈ  Ｒｅｑｕｅｓｔ」の送信元の移動局ＵＥが、かかる移動通信システムの加入者であるホーム加入者用移動局ＵＥであると判定した場合には、ホーム加入者サーバＨＳＳが移動局ＵＥに対してＥ-ＵＴＲＡＮを利用した通信が許容されているか否かについて判定すべきであると決定し、ＨＳＳインターフェイス１３を介して、かかる「ＭＳ  Ｎｅｔｗｏｒｋ  Ｃａｐａｂｉｌｉｔｙ」を含む「Ｕｐｄａｔｅ  Ｌｏｃａｔｉｏｎ」を、ホーム加入者サーバＨＳＳに送信するように構成されている。
【００４７】
一方、判定部１２は、上述のＩＭＳＩに基づいて、かかる「Ａｔｔａｃｈ  Ｒｅｑｕｅｓｔ」の送信元の移動局ＵＥが、かかる移動通信システムの加入者ではなく他の移動通信システムからローミングされてきた移動局ＵＥであると判定した場合には、交換局ＳＧＳＮが移動局ＵＥに対してＥ-ＵＴＲＡＮを利用した通信が許容されているか否かについて判定すべきであると決定し、移動局ＵＥに対してＥ-ＵＴＲＡＮを利用した通信が許容されているか否かについて判定するように構成されている。
【００４８】
ＨＳＳインターフェイス１３は、ホーム加入者サーバＨＳＳとの間の通信インターフェイスである。
【００４９】
例えば、ＨＳＳインターフェイス１３は、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、ホーム加入者サーバＨＳＳに対して、「Ｕｐｄａｔｅ  Ｌｏｃａｔｉｏｎ」を送信することによって、移動局ＵＥのＵＴＲＡＮへのＡｔｔａｃｈ処理を行うように構成されている。
【００５０】
また、ＨＳＳインターフェイス１３は、ホーム加入者サーバＨＳＳから「Ｕｐｄａｔｅ  Ｌｏｃａｔｉｏｎ  Ａｃｋ」を受信するように構成されている。
【００５１】
ここで、「Ｕｐｄａｔｅ  Ｌｏｃａｔｉｏｎ  Ａｃｋ」には、移動局ＵＥに対してＥ-ＵＴＲＡＮを利用した通信が許容されていない旨を示す情報である「Ｅ-ＵＴＲＡＮ  ａｃｃｅｓｓ  ｐｒｏｈｉｂｉｔｅｄ」が設定されていてもよい。
【００５２】
送信部１４は、移動局ＵＥに対して、「Ａｔｔａｃｈ  Ｒｅｊｅｃｔ」又は「Ａｔｔａｃｈ  Ａｃｃｅｐｔ」を送信するように構成されている。なお、移動局ＵＥに対してＥ-ＵＴＲＡＮを利用した通信が許容されていない場合には、送信部１４は、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信するように構成されている。
【００５３】
図３に示すように、移動局ＵＥは、管理部２１と、Ａｔｔａｃｈ処理部２２とを具備している。
【００５４】
管理部２１は、移動局ＵＥに係る情報を管理するように構成されている。例えば、管理部２１は、かかる移動局ＵＥに係る情報として、「ＭＳ  Ｎｅｔｗｏｒｋ  Ｃａｐａｂｉｌｉｔｙ」の１つである「ＥＰＣ  Ｃａｐａｂｉｌｉｔｙ」（第２無線アクセスネットワークに対応可能であるか否かについて示す能力情報）について管理するように構成されている。
【００５５】
例えば、管理部２１は、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を受信した場合には、Ｅ-ＵＴＲＡＮを利用した通信が許容されていないことを認識し、管理している「ＥＰＣ  Ｃａｐａｂｉｌｉｔｙ」の値を「１」から「０」に変更するように構成されている。
【００５６】
Ａｔｔａｃｈ処理部２２は、交換局ＳＧＳＮ又は交換局ＭＭＥに対して、「Ａｔｔａｃｈ  Ｒｅｑｕｅｓｔ」を送信するように構成されている。具体的には、Ａｔｔａｃｈ処理部２２は、交換局ＳＧＳＮに対して、管理部２１によって管理されている「ＥＰＣ  Ｃａｐａｂｉｌｉｔｙ」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信するように構成されている。
【００５７】
例えば、Ａｔｔａｃｈ処理部２２は、交換局ＳＧＳＮから、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を受信した場合、かかる「Ａｔｔａｃｈ  Ｒｅｊｅｃｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信するように構成されている。
【００５８】
（本発明の第１の実施形態に係る移動通信システムの動作）
図４及び図５を参照して、本発明の第１の実施形態に係る移動通信システムの動作について説明する。
【００５９】
第１に、図４を参照して、本発明の第１の実施形態に係る移動通信システムの動作例１について説明する。
【００６０】
図４に示すように、ステップＳ１００１において、Ｅ-ＵＴＲＡＮを利用してＥＰＣネットワークへ接続する能力（ＥＰＳ能力）を有する移動局ＵＥ（すなわち、Ｅ-ＵＴＲＡＮに対応可能である移動局ＵＥ）が、交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信し、交換局ＳＧＳＮが、受信した「Ａｔｔａｃｈ  Ｒｅｑｕｅｓｔ」から、「ＭＳ  Ｎｅｔｗｏｒｋ  Ｃａｐａｂｉｌｉｔｙ」を取得する。
【００６１】
ホーム加入者サーバＨＳＳが移動局ＵＥに対してＥ-ＵＴＲＡＮを利用した通信が許容されているか否かについて判定すべきであると決定された場合（すなわち、移動局ＵＥがホーム加入者用移動局ＵＥである場合）、ステップＳ１００２において、移動局ＵＥに対する認証処理及び秘匿処理が行われた後、ステップＳ１００３において、交換局ＳＧＳＮが、ホーム加入者サーバＨＳＳに対して、上述の「ＭＳ  Ｎｅｔｗｏｒｋ  Ｃａｐａｂｉｌｉｔｙ」を含む「Ｕｐｄａｔｅ  Ｌｏｃａｔｉｏｎ  Ｒｅｑｕｅｓｔ」を送信する。
【００６２】
ホーム加入者サーバＨＳＳが、ステップＳ１００４において、移動局ＵＥに対してＥ-ＵＴＲＡＮを利用した通信が許容されていないと判断した場合、移動局ＵＥのＵＴＲＡＮに対するＡｔｔａｃｈ処理を行うことなく、ステップＳ１００５において、交換局ＳＧＳＮに対して、「Ｅ-ＵＴＲＡＮ  ａｃｃｅｓｓ  ｐｒｏｈｉｂｉｔｅｄ」を含む「Ｕｐｄａｔｅ  Ｌｏｃａｔｉｏｎ  Ａｃｋ」を送信する。
【００６３】
ステップＳ１００６において、交換局ＳＧＳＮが、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信する。
【００６４】
ステップＳ１００７において、移動局ＵＥは、「Ａｔｔａｃｈ  Ｒｅｊｅｃｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないことを認識することができ、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【００６５】
ステップＳ１００８において、移動局ＵＥが、かかる「Ａｔｔａｃｈ  Ｒｅｊｅｃｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信する。
【００６６】
ステップＳ１００９において、交換局ＳＧＳＮが、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、移動局ＵＥのＵＴＲＡＮに対するＡｔｔａｃｈ処理を行う。
【００６７】
第２に、図５を参照して、本発明の第１の実施形態に係る移動通信システムの動作例２について説明する。
【００６８】
図５に示すように、ステップＳ２００１において、Ｅ-ＵＴＲＡＮを利用してＥＰＣネットワークへ接続する能力（ＥＰＳ能力）を有する移動局ＵＥ（すなわち、Ｅ-ＵＴＲＡＮに対応可能である移動局ＵＥ）が、交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信し、交換局ＳＧＳＮが、受信した「Ａｔｔａｃｈ  Ｒｅｑｕｅｓｔ」から、「ＭＳ  Ｎｅｔｗｏｒｋ  Ｃａｐａｂｉｌｉｔｙ」を取得する。
【００６９】
交換局ＳＧＳＮが移動局ＵＥに対してＥ-ＵＴＲＡＮを利用した通信が許容されているか否かについて判定すべきであると決定された場合（すなわち、移動局ＵＥがローミングされてきた移動局ＵＥである場合）、ステップＳ２００２において、交換局ＳＧＳＮが、移動局ＵＥに対してＥ-ＵＴＲＡＮを利用した通信が許容されているか否かについて判定する。
【００７０】
交換局ＳＧＳＮは、移動局ＵＥに対してＥ-ＵＴＲＡＮを利用した通信が許容されていないと判断した場合、移動局ＵＥのＵＴＲＡＮに対するＡｔｔａｃｈ処理を行うことなく、ステップＳ２００３において、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信する。
【００７１】
ステップＳ２００４において、移動局ＵＥは、「Ａｔｔａｃｈ  Ｒｅｊｅｃｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないことを認識することができ、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【００７２】
ステップＳ２００５において、移動局ＵＥが、かかる「Ａｔｔａｃｈ  Ｒｅｊｅｃｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信する。
【００７３】
ステップＳ２００６において、交換局ＳＧＳＮが、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、移動局ＵＥのＵＴＲＡＮに対するＡｔｔａｃｈ処理を行う。
【００７４】
（本発明の第１の実施形態に係る移動通信システムの作用・効果）
本発明の第１の実施形態に係る移動通信システムによれば、移動局ＵＥが、交換局ＳＧＳＮによって送信された「Ａｔｔａｃｈ  Ｒｅｊｅｃｔ」に含まれる「Ｅ-ＵＴＲＡＮ  ａｃｃｅｓｓ  ｐｒｏｈｉｂｉｔｅｄ」に応じて、Ｅ-ＵＴＲＡＮを利用した通信が許容されていないことを認識することができるため、かかる場合には、Ｅ-ＵＴＲＡＮへのハンドオーバを行うことを回避することによって、通信の切断の発生を回避することができる。
【００７５】
（変更例１）
図６及び図７を参照して、本発明の変更例１に係る移動通信システムについて説明する。以下、本発明の変更例１に係る移動通信システムについて、上述の第１の実施形態に係る移動通信システムとの相違点に着目して説明する。
【００７６】
本変更例１に係る移動通信システムでは、交換局ＳＧＳＮのＨＳＳインターフェイス１３は、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を受信した場合には、移動局ＵＥに対してＥ-ＵＴＲＡＮを利用した通信が許容されていない場合であっても、ホーム加入者サーバＨＳＳに対して、「Ｕｐｄａｔｅ  Ｌｏｃａｔｉｏｎ」を送信することによって、移動局ＵＥのＵＴＲＡＮに対するＡｔｔａｃｈ処理を行うように構成されている。
【００７７】
かかる場合には、交換局ＳＧＳＮの送信部１４は、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ａｃｃｅｐｔ」を送信するように構成されている。
【００７８】
例えば、移動局ＵＥの管理部２１は、「Ｅ-ＵＴＲＡＮ  ａｃｃｅｓｓ  ｐｒｏｈｉｂｉｔｅｄ」を含む「Ａｔｔａｃｈ  Ａｃｃｅｐｔ」を受信した場合には、Ａｔｔａｃｈ処理を正常に完了すると共に、Ｅ-ＵＴＲＡＮを利用した通信が許容されていないことを認識し、管理している「ＥＰＣ  Ｃａｐａｂｉｌｉｔｙ」の値を「１」から「０」に変更するように構成されている。
【００７９】
図６及び図７を参照して、本発明の変更例１に係る移動通信システムの動作について説明する。
【００８０】
第１に、図６を参照して、本発明の変更例１に係る移動通信システムの動作例１について説明する。
【００８１】
図６に示すように、ステップＳ３００１において、Ｅ-ＵＴＲＡＮを利用してＥＰＣネットワークへ接続する能力（ＥＰＳ能力）を有する移動局ＵＥ（すなわち、Ｅ-ＵＴＲＡＮに対応可能である移動局ＵＥ）が、交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信し、交換局ＳＧＳＮが、受信した「Ａｔｔａｃｈ  Ｒｅｑｕｅｓｔ」から、「ＭＳ  Ｎｅｔｗｏｒｋ  Ｃａｐａｂｉｌｉｔｙ」を取得する。
【００８２】
ホーム加入者サーバＨＳＳが移動局ＵＥに対してＥ-ＵＴＲＡＮを利用した通信が許容されているか否かについて判定すべきであると決定された場合（すなわち、移動局ＵＥがホーム加入者用移動局ＵＥである場合）、ステップＳ３００２において、移動局ＵＥに対する認証処理及び秘匿処理が行われた後、ステップＳ３００３において、交換局ＳＧＳＮが、ホーム加入者サーバＨＳＳに対して、上述の「ＭＳ  Ｎｅｔｗｏｒｋ  Ｃａｐａｂｉｌｉｔｙ」を含む「Ｕｐｄａｔｅ  Ｌｏｃａｔｉｏｎ  Ｒｅｑｕｅｓｔ」を送信する。
【００８３】
ホーム加入者サーバＨＳＳが、ステップＳ３００４において、移動局ＵＥに対してＥ-ＵＴＲＡＮを利用した通信が許容されていないと判断した場合、移動局ＵＥのＵＴＲＡＮに対するＡｔｔａｃｈ処理を行った後、ステップＳ３００５において、交換局ＳＧＳＮに対して、「Ｅ-ＵＴＲＡＮ  ａｃｃｅｓｓ  ｐｒｏｈｉｂｉｔｅｄ」を含む「Ｕｐｄａｔｅ  Ｌｏｃａｔｉｏｎ  Ａｃｋ」を送信する。
【００８４】
ステップＳ３００６において、交換局ＳＧＳＮが、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ａｃｃｅｐｔ」を送信する。
【００８５】
ステップＳ３００７において、移動局ＵＥは、「Ａｔｔａｃｈ  Ａｃｃｅｐｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないことを認識することができ、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【００８６】
第２に、図７を参照して、本発明の変更例１に係る移動通信システムの動作例２について説明する。
【００８７】
図７に示すように、ステップＳ４００１において、Ｅ-ＵＴＲＡＮを利用してＥＰＣネットワークへ接続する能力（ＥＰＳ能力）を有する移動局ＵＥ（すなわち、Ｅ-ＵＴＲＡＮに対応可能である移動局ＵＥ）が、交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信し、交換局ＳＧＳＮが、受信した「Ａｔｔａｃｈ  Ｒｅｑｕｅｓｔ」から、「ＭＳ  Ｎｅｔｗｏｒｋ  Ｃａｐａｂｉｌｉｔｙ」を取得する。
【００８８】
交換局ＳＧＳＮが移動局ＵＥに対してＥ-ＵＴＲＡＮを利用した通信が許容されているか否かについて判定すべきであると決定された場合（すなわち、移動局ＵＥがローミングされてきた移動局ＵＥである場合）、ステップＳ４００２において、交換局ＳＧＳＮが、移動局ＵＥに対してＥ-ＵＴＲＡＮを利用した通信が許容されているか否かについて判定する。
【００８９】
交換局ＳＧＳＮは、移動局ＵＥに対してＥ-ＵＴＲＡＮを利用した通信が許容されていないと判断した場合、移動局ＵＥのＵＴＲＡＮに対するＡｔｔａｃｈ処理を行った後、ステップＳ４００３において、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ａｃｃｅｐｔ」を送信する。
【００９０】
ステップＳ４００４において、移動局ＵＥは、「Ａｔｔａｃｈ  Ａｃｃｅｐｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないことを認識することができ、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【００９１】
（変更例２）
図８を参照して、本発明の変更例２に係る移動通信システムについて説明する。以下、本発明の変更例２に係る移動通信システムについて、上述の第１の実施形態に係る移動通信システムとの相違点に着目して説明する。
【００９２】
本変更例２では、交換局ＭＭＥが、図２に示す交換局ＳＧＳＮの機能を具備している。
【００９３】
図８に示すように、ステップＳ１００１Ａにおいて、Ｅ-ＵＴＲＡＮを利用してＥＰＣネットワークへ接続する能力（ＥＰＳ能力）を有する移動局ＵＥ（すなわち、Ｅ-ＵＴＲＡＮに対応可能である移動局ＵＥ）が、交換局ＭＭＥに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信し、交換局ＭＭＥが、受信した「Ａｔｔａｃｈ  Ｒｅｑｕｅｓｔ」から、「ＭＳ  Ｎｅｔｗｏｒｋ  Ｃａｐａｂｉｌｉｔｙ」を取得する。
【００９４】
ホーム加入者サーバＨＳＳが移動局ＵＥに対してＥ-ＵＴＲＡＮを利用した通信が許容されているか否かについて判定すべきであると決定された場合（すなわち、移動局ＵＥがホーム加入者用移動局ＵＥである場合）、ステップＳ１００２Ａにおいて、移動局ＵＥに対する認証処理及び秘匿処理が行われた後、ステップＳ１００３Ａにおいて、交換局ＭＭＥが、ホーム加入者サーバＨＳＳに対して、上述の「ＭＳ  Ｎｅｔｗｏｒｋ  Ｃａｐａｂｉｌｉｔｙ」を含む「Ｕｐｄａｔｅ  Ｌｏｃａｔｉｏｎ  Ｒｅｑｕｅｓｔ」を送信する。
【００９５】
ホーム加入者サーバＨＳＳが、ステップＳ１００４Ａにおいて、移動局ＵＥに対してＥ-ＵＴＲＡＮを利用した通信が許容されていないと判断した場合、ステップＳ１００５Ａにおいて、交換局ＭＭＥに対して、「Ｅ-ＵＴＲＡＮ  ａｃｃｅｓｓ  ｐｒｏｈｉｂｉｔｅｄ」を含む「Ｕｐｄａｔｅ  Ｌｏｃａｔｉｏｎ  Ａｃｋ」を送信する。
【００９６】
ステップＳ１００６Ａにおいて、交換局ＭＭＥが、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信する。
【００９７】
ステップＳ１００７Ａにおいて、移動局ＵＥは、「Ａｔｔａｃｈ  Ｒｅｊｅｃｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないことを認識することができ、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【００９８】
ここで、ステップＳ１００８Ａにおいて、移動局ＵＥが、かかる「Ａｔｔａｃｈ  Ｒｅｊｅｃｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信してもよい。
【００９９】
移動局ＵＥによって、上述の「Ａｔｔａｃｈ  Ｒｅｑｕｅｓｔ」が送信された場合、ステップＳ１００９Ａにおいて、交換局ＳＧＳＮが、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、移動局ＵＥのＵＴＲＡＮに対するＡｔｔａｃｈ処理を行う。
【０１００】
（変更例３）
図９乃至図１１を参照して、本発明の変更例３に係る移動通信システムについて説明する。以下、本発明の変更例３に係る移動通信システムについて、上述の変更例２に係る移動通信システムとの相違点に着目して説明する。
【０１０１】
本発明の変更例３に係る移動通信システムでは、移動局ＵＥの管理部２１は、「Ａｔｔａｃｈ  Ｒｅｊｅｃｔ」に「Ｅ-ＵＴＲＡＮ  ａｃｃｅｓｓ  ｐｒｏｈｉｂｉｔｅｄ」が含まれている場合には、電源再投入等の所定トリガが検出されるまで恒久的に、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更するように構成されており、管理部２１は、「Ａｔｔａｃｈ  Ｒｅｊｅｃｔ」に「Ｎｏ  ｓｕｉｔａｂｌｅ  ｃｅｌｌｓ  ｉｎ  ｔｒａｃｋｉｎｇ  ａｒｅａ」等が含まれている場合には、一時的に、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更するように構成されていてもよい。
【０１０２】
ここで、「Ｅ-ＵＴＲＡＮ  ａｃｃｅｓｓ  ｐｒｏｈｉｂｉｔｅｄ」は、移動局ＵＥがＥ-ＵＴＲＡＮ及びＵＴＲＡＮの双方に対応可能であることを示す拒否理由であり、「Ｎｏ  ｓｕｉｔａｂｌｅ  ｃｅｌｌｓ  ｉｎ  ｔｒａｃｋｉｎｇ  ａｒｅａ」は、移動局ＵＥがＥ-ＵＴＲＡＮのみに対応可能であることを示す拒否理由である。
【０１０３】
また、本変更例３に係る移動通信システムでは、交換局ＭＭＥは、移動局ＵＥから受信したＡｔｔａｃｈ信号によって、かかる移動局ＵＥがＥ-ＵＴＲＡＮやＵＴＲＡＮに対応可能であるか否かについて通知されているものとする。
【０１０４】
したがって、本変更例３に係る移動通信システムでは、交換局ＭＭＥの送信部１４は、ホーム加入者サーバＨＳＳから「ＲＡＴ  ＮＯＴ  ＡＬＬＯＷＥＤ」を受信した場合で、かつ、移動局ＵＥが「ＵＴＲＡＮ（他の無線アクセスネットワーク）」に対応可能である場合には、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信するように構成されている。
【０１０５】
一方、交換局ＭＭＥの送信部１４は、ホーム加入者サーバＨＳＳから「ＲＡＴ  ＮＯＴ  ＡＬＬＯＷＥＤ」を受信した場合で、かつ、移動局ＵＥが「ＵＴＲＡＮ」に対応可能でない場合には、交換局ＭＭＥの送信部１４は、「Ｎｏ  ｓｕｉｔａｂｌｅ  ｃｅｌｌｓ  ｉｎ  ｔｒａｃｋｉｎｇ  ａｒｅａ」等を含む「Ａｔｔａｃｈ  Ｒｅｊｅｃｔ」を送信するように構成されていてもよい。
【０１０６】
ここで、「ＲＡＴ  ＮＯＴ  ＡＬＬＯＷＥＤ」は、かかる移動局ＵＥが、Ｅ-ＵＴＲＡＮに対応していないことを示す情報である。
【０１０７】
以下、図９を参照して、本変更例３に係る移動通信システムにおいて、移動局ＵＥが「ＵＴＲＡＮ」に対応可能である場合の動作について説明する。
【０１０８】
図９に示すように、ステップＳ１０１乃至Ｓ１０３の動作は、図８に示すステップＳ１００１Ａ乃至Ｓ１００３Ａの動作と同一である。
【０１０９】
ホーム加入者サーバＨＳＳが、ステップＳ１０４において、移動局ＵＥに対してＥ-ＵＴＲＡＮを利用した通信が許容されていない、かつ、移動局ＵＥが「ＵＴＲＡＮ」に対応可能であると判断した場合、ステップＳ１０５において、交換局ＭＭＥに対して、「ＲＡＴ  ＮＯＴ  ＡＬＬＯＷＥＤ」を含む「Ｕｐｄａｔｅ  Ｌｏｃａｔｉｏｎ  Ａｃｋ」を送信する。
【０１１０】
なお、移動局ＵＥが「ＵＴＲＡＮ」に対応可能であるか否かについての判断は、ホーム加入者サーバＨＳＳではなく、交換局ＭＭＥで行われてもよい。
【０１１１】
なお、ホーム加入者サーバＨＳＳが、ステップＳ１０４において、移動局ＵＥに対してＥ-ＵＴＲＡＮを利用した通信が許容されていない、かつ、移動局ＵＥが「ＵＴＲＡＮ」に対応可能であると判断した場合、ステップＳ１０５において、交換局ＭＭＥに対して、「ＲＡＴ  ＮＯＴ  Ａｌｌｏｗｅｄ」を含む「Ｕｐｄａｔｅ  Ｌｏｃａｔｉｏｎ  Ａｃｋ」を送信する。
【０１１２】
或いは、ホーム加入者サーバＨＳＳが、ステップＳ１０４において、移動局ＵＥに対してＥ-ＵＴＲＡＮを利用した通信が許容されていないと判断した場合に、ステップＳ１０５において、交換局ＭＭＥに対して、「ＲＡＴ  ＮＯＴ  Ａｌｌｏｗｅｄ」を含む「Ｕｐｄａｔｅ  Ｌｏｃａｔｉｏｎ  Ａｃｋ」を送信してもよい。
【０１１３】
ステップＳ１０６において、交換局ＭＭＥが、「ＲＡＴ  ＮＯＴ  Ａｌｌｏｗｅｄ」を含む「Ｕｐｄａｔｅ  Ｌｏｃａｔｉｏｎ  Ａｃｋ」を受信すると、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信する。
【０１１４】
或いは、ステップＳ１０６において、交換局ＭＭＥが、「ＲＡＴ  ＮＯＴ  Ａｌｌｏｗｅｄ」を含む「Ｕｐｄａｔｅ  Ｌｏｃａｔｉｏｎ  Ａｃｋ」を受信し、移動局ＵＥが「ＵＴＲＡＮ」に対応可能であると判断した場合に、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信してもよい。
【０１１５】
ステップＳ１０７において、移動局ＵＥは、「Ａｔｔａｃｈ  Ｒｅｊｅｃｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないこと、及び、移動局ＵＥが「ＵＴＲＡＮ」に対応可能であることを認識することができ、電源再投入等の所定トリガが検出されるまで恒久的に、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【０１１６】
以下、ステップＳ１０８及びＳ１０９の動作は、図８に示すステップＳ１００８Ａ及びＳ１００９Ａの動作と同一である。
【０１１７】
本変更例３に係る移動通信システムによれば、図１０に示す動作が繰り返されるという現象を解消することができる。以下、図１０に示す動作について簡単に説明する。
【０１１８】
図１０に示すように、移動局ＵＥは、ステップ１において、ＵＴＲＡＮ方式の移動通信システムにおいて送信すべきユーザデータを検出すると、ステップ２において、無線回線制御局ＲＮＣに対して、「ＲＲＣ  Ｃｏｎｎｅｃｔｉｏｎ  Ｒｅｑｕｅｓｔ」を送信する。
【０１１９】
ステップ３において、無線回線制御局ＲＮＣは、移動局ＵＥに対して、Ｅ-ＵＴＲＡＮ方式への再接続（Ｒｅｄｉｒｅｃｔｉｏｎ）指示を含む「ＲＲＣ  Ｃｏｎｎｅｃｔｉｏｎ  Ｒｅｊｅｃｔ」を送信する。
【０１２０】
ステップ４において、移動局ＵＥは、Ｅ-ＵＴＲＡＮに対して再接続することを決定し、無線基地局ｅＮＢに対して、「ＲＲＣ  Ｃｏｎｎｅｃｔｉｏｎ  Ｒｅｑｕｅｓｔ」を送信する。
【０１２１】
ステップ５において、無線基地局ｅＮＢは、移動局ＵＥに対して、「ＲＲＣ  Ｃｏｎｎｅｃｔｉｏｎ  Ｓｅｔｕｐ」を送信する。
【０１２２】
ステップ６において、移動局ＵＥは、交換局ＭＭＥに対して、「ＴＡＵ  Ｒｅｑｕｅｓｔ」を送信する。
【０１２３】
ステップ７において、交換局ＭＭＥは、移動局ＵＥのＥ-ＵＴＲＡＮへの位置登録処理が禁止されていることを示す「ＴＡＵ  Ｒｅｊｅｃｔ（Ｎｏ  ｓｕｉｔａｂｌｅ  ｃｅｌｌｓ  ｉｎ  ｔｒａｃｋｉｎｇ  ａｒｅａ）等」」を、移動局ＵＥに対して送信する。
【０１２４】
ここで、「ＴＡＵ  Ｒｅｊｅｃｔ（Ｎｏ  ｓｕｉｔａｂｌｅ  ｃｅｌｌｓ  ｉｎ  ｔｒａｃｋｉｎｇ  ａｒｅａ」等）」を受信した移動局ＵＥは、現在のＴｒａｃｋｉｎｇ  Ａｒｅａ  ＩＤを「ｆｏｒｂｉｄｄｅｎ  ＴＡ  ｌｉｓｔ」に登録する。
【０１２５】
ステップ８において、無線基地局ｅＮＢは、移動局ＵＥに対して、ＵＴＲＡＮ方式への再接続（Ｒｅｄｉｒｅｃｔｉｏｎ）指示を含む「ＲＲＣ  Ｃｏｎｎｅｃｔｉｏｎ  Ｒｅｌｅａｓｅ」を送信する。
【０１２６】
ステップ９において、移動局ＵＥは、ＵＴＲＡＮに対して再接続することを決定し、無線回線制御局ＲＮＣに対して、「ＲＲＣ  Ｃｏｎｎｅｃｔｉｏｎ  Ｒｅｑｕｅｓｔ」を送信する。
【０１２７】
以下、上述のステップ３以降の処理が繰り返される。
【０１２８】
一方、図１１を参照して、本変更例３に係る移動通信システムにおいて、移動局ＵＥが「ＵＴＲＡＮ」に対応可能でない場合の動作について説明する。
【０１２９】
ステップＳ１０６Ａにおいて、交換局ＭＭＥが、「ＲＡＴ  ＮＯＴ  Ａｌｌｏｗｅｄ」を含む「Ｕｐｄａｔｅ  Ｌｏｃａｔｉｏｎ  Ａｃｋ」を受信すると、移動局ＵＥに対して、「Ｎｏ  ｓｕｉｔａｂｌｅ  ｃｅｌｌｓ  ｉｎ  ｔｒａｃｋｉｎｇ  ａｒｅａ」等を含む「Ａｔｔａｃｈ  Ｒｅｊｅｃｔ」を送信する。
【０１３０】
或いは、ステップＳ１０６Ａにおいて、交換局ＭＭＥが、「ＲＡＴ  ＮＯＴ  Ａｌｌｏｗｅｄ」を含む「Ｕｐｄａｔｅ  Ｌｏｃａｔｉｏｎ  Ａｃｋ」を受信し、移動局ＵＥが「ＵＴＲＡＮ」に対応可能でないと判断した場合に、移動局ＵＥに対して、「Ｎｏ  ｓｕｉｔａｂｌｅ  ｃｅｌｌｓ  ｉｎ  ｔｒａｃｋｉｎｇ  ａｒｅａ」等を含む「Ａｔｔａｃｈ  Ｒｅｊｅｃｔ」を送信してもよい。
【０１３１】
ステップＳ１０７Ａにおいて、移動局ＵＥは、「Ａｔｔａｃｈ  Ｒｅｊｅｃｔ」に含まれる「Ｎｏ  ｓｕｉｔａｂｌｅ  ｃｅｌｌｓ  ｉｎ  ｔｒａｃｋｉｎｇ  ａｒｅａ」等によって、Ｅ-ＵＴＲＡＮを利用した通信が許容されていないこと、及び、移動局ＵＥが「ＵＴＲＡＮ」に対応可能でないことを認識することができ、一時的に、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【０１３２】
（変更例４）
図１２及び図１３を参照して、本発明の変更例４に係る移動通信システムについて説明する。以下、本発明の変更例４に係る移動通信システムについて、上述の変更例２に係る移動通信システムとの相違点に着目して説明する。
【０１３３】
第１に、図１２を参照して、本変更例４に係る移動通信システムにおいて、移動局ＵＥが「ＵＴＲＡＮ」に対応可能である場合の動作について説明する。
【０１３４】
図１２に示すように、ステップＳ２０１において、Ｅ-ＵＴＲＡＮを利用してＥＰＣネットワークへ接続する能力（ＥＰＳ能力）を有する移動局ＵＥ（すなわち、Ｅ-ＵＴＲＡＮに対応可能である移動局ＵＥ）が、交換局ＭＭＥに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ｔｒａｃｋｉｎｇ  Ａｒｅａ  Ｕｐｄａｔｅ  Ｒｅｑｕｅｓｔ」を送信し、交換局ＭＭＥが、受信した「Ｔｒａｃｋｉｎｇ  Ａｒｅａ  Ｕｐｄａｔｅ  Ｒｅｑｕｅｓｔ」から「ＭＳ  Ｎｅｔｗｏｒｋ  Ｃａｐａｂｉｌｉｔｙ」を取得する。
【０１３５】
ステップＳ２０２において、移動局ＵＥに対する認証処理及び秘匿処理が行われる。
【０１３６】
交換局ＭＭＥが、ステップＳ２０３において、移動局ＵＥの契約情報等から、Ｅ-ＵＴＲＡＮの利用契約がない等の理由により、移動局ＵＥに対してＥ-ＵＴＲＡＮを利用した通信が許容されていないと判断した場合、ステップＳ２０４において、移動局ＵＥが「ＵＴＲＡＮ」に対応可能であるか否かについて判定する。
【０１３７】
交換局ＭＭＥは、移動局ＵＥが「ＵＴＲＡＮ」に対応可能であると判断した場合に、ステップＳ２０５において、移動局ＵＥに対して、「Ｅ-ＵＴＲＡＮ  ａｃｃｅｓｓ  ｐｒｏｈｉｂｉｔｅｄ」を含む「Ｔｒａｃｋｉｎｇ  Ａｒｅａ  Ｕｐｄａｔｅ  Ｒｅｊｅｃｔ」を送信してもよい。
【０１３８】
ステップＳ２０６において、移動局ＵＥは、「Ｔｒａｃｋｉｎｇ  Ａｒｅａ  Ｕｐｄａｔｅ  Ｒｅｊｅｃｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないこと、及び、移動局ＵＥが「ＵＴＲＡＮ」に対応可能であることを認識することができ、電源再投入等の所定トリガが検出されるまで恒久的に、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【０１３９】
ステップＳ２０７において、移動局ＵＥが、かかる「Ｔｒａｃｋｉｎｇ  Ａｒｅａ  Ｕｐｄａｔｅ  Ｒｅｊｅｃｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ｒｏｕｔｉｎｇ  Ａｒｅａ  Ｕｐｄａｔｅ  Ｒｅｑｕｅｓｔ」を送信してもよい。
【０１４０】
移動局ＵＥによって、上述の「Ｒｏｕｔｉｎｇ  Ａｒｅａ  Ｕｐｄａｔｅ  Ｒｅｑｕｅｓｔ」が送信された場合、ステップＳ２０８において、交換局ＳＧＳＮが、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ｒｏｕｔｉｎｇ  Ａｒｅａ  Ｕｐｄａｔｅ  Ｒｅｑｕｅｓｔ」に応じて、移動局ＵＥのＵＴＲＡＮに対する位置登録処理を行う。
【０１４１】
第２に、図１３を参照して、本変更例４に係る移動通信システムにおいて、移動局ＵＥが「ＵＴＲＡＮ」に対応可能でない場合の動作について説明する。
【０１４２】
交換局ＭＭＥは、ステップＳ２０４において、移動局ＵＥが「ＵＴＲＡＮ」に対応可能でないと判断した場合に、ステップＳ２０５Ａにおいて、移動局ＵＥに対して、「Ｎｏ  ｓｕｉｔａｂｌｅ  ｃｅｌｌｓ  ｉｎ  ｔｒａｃｋｉｎｇ  ａｒｅａ」等を含む「Ｔｒａｃｋｉｎｇ  Ａｒｅａ  Ｕｐｄａｔｅ  Ｒｅｊｅｃｔ」を送信してもよい。
【０１４３】
ステップＳ２０６Ａにおいて、移動局ＵＥは、「Ｔｒａｃｋｉｎｇ  Ａｒｅａ  Ｕｐｄａｔｅ  Ｒｅｊｅｃｔ」に含まれる「Ｎｏ  ｓｕｉｔａｂｌｅ  ｃｅｌｌｓ  ｉｎ  ｔｒａｃｋｉｎｇ  ａｒｅａ」等によって、Ｅ-ＵＴＲＡＮを利用した通信が許容されていないこと、及び、移動局ＵＥが「ＵＴＲＡＮ」に対応可能でないことを認識することができ、一時的に、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【０１４４】
すなわち、移動局ＵＥは、現在の位置登録エリア（Ｔｒａｃｋｉｎｇ  Ａｒｅａ）において位置登録処理を行うことができないことを記憶する。
【０１４５】
なお、上述の「Ｔｒａｃｋｉｎｇ  Ａｒｅａ  Ｕｐｄａｔｅ  Ｒｅｑｕｅｓｔ」の代わりに、「Ｓｅｒｖｉｃｅ  Ｒｅｑｕｅｓｔ」が送信される場合も同様の動作となる。
【０１４６】
（変更例５）
図１４及び図１５を参照して、本発明の変更例５に係る移動通信システムについて説明する。以下、本発明の変更例５に係る移動通信システムについて、上述の変更例２に係る移動通信システムとの相違点に着目して説明する。
【０１４７】
第１に、図１４を参照して、本変更例５に係る移動通信システムにおいて、移動局ＵＥが「ＵＴＲＡＮ」に対応可能である場合の動作について説明する。
【０１４８】
図１４に示すように、ホーム加入者サーバＨＳＳが、ステップＳ３０１において、移動局ＵＥの契約情報の変更等によって、移動局ＵＥに対してＥ-ＵＴＲＡＮを利用した通信が許容されていないことを検出すると、ステップＳ３０２において、交換局ＭＭＥに対して「Ｃａｎｃｅｌ  Ｌｏｃａｔｉｏｎ」を送信し、ステップＳ３０３において、交換局ＳＧＳＮに対して「Ｃａｎｃｅｌ  Ｌｏｃａｔｉｏｎ」を送信する。
【０１４９】
ステップＳ３０４において、移動局ＵＥに対するページング処理、認証処理及び秘匿処理が行われる。
【０１５０】
交換局ＭＭＥは、ステップＳ３０４Ａにおいて、移動局ＵＥが「ＵＴＲＡＮ」に対応可能であると判断した場合に、ステップＳ３０５において、移動局ＵＥに対して、「Ｅ-ＵＴＲＡＮ  ａｃｃｅｓｓ  ｐｒｏｈｉｂｉｔｅｄ」を含む「Ｄｅｔａｃｈ  Ｒｅｑｕｅｓｔ」を送信してもよい。
【０１５１】
ステップＳ３０６において、移動局ＵＥは、「Ｄｅｔａｃｈ  Ｒｅｑｕｅｓｔ」に含まれる「Ｅ-ＵＴＲＡＮ  ａｃｃｅｓｓ  ｐｒｏｈｉｂｉｔｅｄ」によって、Ｅ-ＵＴＲＡＮを利用した通信が許容されていないこと、及び、移動局ＵＥが「ＵＴＲＡＮ」に対応可能であることを認識することができ、電源再投入等の所定トリガが検出されるまで恒久的に、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【０１５２】
ステップＳ３０７において、移動局ＵＥが、かかる「Ｄｅｔａｃｈ  Ｒｅｑｕｅｓｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信してもよい。
【０１５３】
第２に、図１５を参照して、本変更例５係る移動通信システムにおいて、移動局ＵＥが「ＵＴＲＡＮ」に対応可能でない場合の動作について説明する。
【０１５４】
交換局ＭＭＥは、ステップＳ３０４において、移動局ＵＥが「ＵＴＲＡＮ」に対応可能でないと判断した場合に、ステップＳ３０５Ａにおいて、移動局ＵＥに対して、「Ｎｏ  ｓｕｉｔａｂｌｅ  ｃｅｌｌｓ  ｉｎ  ｔｒａｃｋｉｎｇ  ａｒｅａ」等を含む「Ｄｅｔａｃｈ  Ｒｅｑｕｅｓｔ」を送信してもよい。
【０１５５】
ステップＳ３０６Ａにおいて、移動局ＵＥは、「Ｄｅｔａｃｈ  Ｒｅｑｕｅｓｔ」に含まれる「Ｎｏ  ｓｕｉｔａｂｌｅ  ｃｅｌｌｓ  ｉｎ  ｔｒａｃｋｉｎｇ  ａｒｅａ」等によって、Ｅ-ＵＴＲＡＮを利用した通信が許容されていないこと、及び、移動局ＵＥが「ＵＴＲＡＮ」に対応可能でないことを認識することができ、一時的に、Ｅ-ＵＴＲＡＮを利用してＥＰＣネットワークへ接続する能力（ＥＰＳ能力）を無効にする（すなわち、管理部２１によって管理されている「ＥＰＣ  Ｃａｐａｂｉｌｉｔｙ」の値を「１」から「０」に変更する）。
【０１５６】
すなわち、移動局ＵＥは、現在の位置登録エリア（Ｔｒａｃｋｉｎｇ  Ａｒｅａ）において位置登録処理を行うことができないことを記憶する。
【０１５７】
なお、移動局ＵＥがＵＴＲＡＮに在圏してる場合も同様の動作となる。
【０１５８】
以上に述べた本実施形態の特徴は、以下のように表現されていてもよい。
【０１５９】
本実施形態の第１の特徴は、移動通信方法であって、移動局ＵＥが、ＵＴＲＡＮ（第１無線アクセスネットワーク）を収容する交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」（Ｅ-ＵＴＲＡＮ（第２無線アクセスネットワーク）に対応可能である旨を示す能力情報）を含む「Ａｔｔａｃｈ  Ｒｅｑｕｅｓｔ（第１位置登録要求信号）」を送信する工程と、交換局ＳＧＳＮが、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」（Ｅ-ＵＴＲＡＮを利用した通信が許容されていない旨を示す情報を含む位置登録拒否信号）を送信する工程と、移動局ＵＥが、かかる「Ａｔｔａｃｈ  Ｒｅｊｅｃｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」（Ｅ-ＵＴＲＡＮに対応不能である旨を示す能力情報を含む第２位置登録要求信号）を送信する工程と、交換局ＳＧＳＮが、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、移動局ＵＥのＵＴＲＡＮに対するＡｔｔａｃｈ処理（位置登録処理）を行う工程とを有することを要旨とする。
【０１６０】
本実施形態の第１の特徴において、交換局ＳＧＳＮが、移動局ＵＥに対してＥ-ＵＴＲＡＮを利用した通信が許容されているか否かについて判定する工程を有してもよい。
【０１６１】
本実施形態の第１の特徴において、ホーム加入者サーバＨＳＳ（所定サーバ装置）が、交換局ＳＧＳＮからの要求に応じて、移動局ＵＥに対してＥ-ＵＴＲＡＮを利用した通信が許容されているか否かについて判定し、かかる判定結果を交換局ＳＧＳＮに通知する工程を有してもよい。
【０１６２】
本実施形態の第１の特徴において、交換局ＳＧＳＮが、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に含まれる移動局識別子（例えば、ＩＭＳＩやＧＴＵＩ等）に基づいて、交換局ＳＧＳＮ又は所定サーバ装置のどちらが、移動局ＵＥに対してＥ-ＵＴＲＡＮを利用した通信が許容されているか否かについて判定すべきかを決定する工程を有してもよい。
【０１６３】
本実施形態の第２の特徴は、移動局ＵＥであって、交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信するように構成されており、交換局ＳＧＳＮから、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を受信するように構成されているＡｔｔａｃｈ処理部２２を具備し、Ａｔｔａｃｈ処理部２２は、かかる「Ａｔｔａｃｈ  Ｒｅｊｅｃｔ」に応じて、交換局ＳＧＳＮに対して、「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信するように構成されていることを要旨とする。
【０１６４】
本実施形態の第３の特徴は、交換局ＳＧＳＮであって、移動局ＵＥから、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を受信するように構成されている受信部１１と、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信するように構成されている送信部１４と、移動局ＵＥによってＡｔｔａｃｈ  Ｒｅｊｅｃｔ」に応じて送信された「ＥＰＣ  Ｃａｐａｂｉｌｉｔｙ：０」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、移動局ＵＥのＵＴＲＡＮに対するＡｔｔａｃｈ処理を行うように構成されているＨＳＳインターフェイス１３とを具備することを要旨とする。
【０１６５】
本実施形態の第３の特徴において、移動局ＵＥに対してＥ-ＵＴＲＡＮを利用した通信が許容されているか否かについて判定するように構成されている判定部１２を具備してもよい。
【０１６６】
本実施形態の第３の特徴において、判定部１２は、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に含まれるＩＭＳＩに基づいて、交換局ＳＧＳＮ又はホーム加入者サーバＨＳＳのどちらが、移動局ＵＥに対してＥ-ＵＴＲＡＮを利用した通信が許容されているか否かについて判定すべきかを決定するように構成されていてもよい。
【０１６７】
本実施形態の第４の特徴は、移動通信方法であって、移動局ＵＥが、交換局ＳＧＳＮに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信する工程と、交換局ＳＧＳＮが、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、移動局ＵＥのＵＴＲＡＮに対するＡｔｔａｃｈ処理を行う工程と、交換局ＳＧＳＮが、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ａｃｃｅｐｔ」（Ｅ-ＵＴＲＡＮを利用した通信が許容されていない旨を示す情報を含む位置登録完了信号）を送信する工程と、移動局ＵＥが、かかる「Ａｔｔａｃｈ  Ａｃｃｅｐｔ」に応じて、管理部２１において管理されている「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更する工程とを有することを要旨とする。
【０１６８】
本実施形態の第４の特徴において、交換局ＳＧＳＮが、移動局ＵＥに対してＥ-ＵＴＲＡＮを利用した通信が許容されているか否かについて判定する工程を有してもよい。
【０１６９】
本実施形態の第４の特徴において、ホーム加入者サーバＨＳＳが、交換局ＳＧＳＮからの要求に応じて、移動局ＵＥに対してＥ-ＵＴＲＡＮを利用した通信が許容されているか否かについて判定し、かかる判定結果を交換局ＳＧＳＮに通知する工程を有してもよい。
【０１７０】
本実施形態の第４の特徴において、交換局ＳＧＳＮが、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に含まれるＩＭＳＩに基づいて、交換局ＳＧＳＮ又はホーム加入者サーバＨＳＳのどちらが、移動局ＵＥに対してＥ-ＵＴＲＡＮを利用した通信が許容されているか否かについて判定すべきかを決定する工程を有してもよい。
【０１７１】
本実施形態の第５の特徴は、移動局ＵＥであって、「ＭＳ  Ｎｅｔｗｏｒｋ  Ｃａｐａｂｉｌｉｔｙ」の１つである「ＥＰＣ  Ｃａｐａｂｉｌｉｔｙ」（Ｅ-ＵＴＲＡＮに対応可能であるか否かについて示す能力情報）を管理するように構成されている管理部２１と、交換局ＳＧＳＮに対して、ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信するように構成されており、交換局ＳＧＳＮから、「Ｅ-ＵＴＲＡＮ  ａｃｃｅｓｓ  ｐｒｏｈｉｂｉｔｅｄ」を含む「Ａｔｔａｃｈ  Ａｃｃｅｐｔ」を受信するように構成されているＡｔｔａｃｈ処理部２２とを具備し、管理部２１は、かかる「Ａｔｔａｃｈ  Ａｃｃｅｐｔ」に応じて、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更するように構成されていることを要旨とする。
【０１７２】
本実施形態の第６の特徴は、交換局ＳＧＳＮであって、移動局ＵＥから、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を受信するように構成されている受信部１１と、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に応じて、移動局ＵＥのＵＴＲＡＮに対するＡｔｔａｃｈ処理を行うように構成されているＨＳＳインターフェイス１３と、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ａｃｃｅｐｔ」を送信するように構成されている送信部１４とを具備することを要旨とする。
【０１７３】
本実施形態の第６の特徴において、移動局ＵＥに対してＥ-ＵＴＲＡＮを利用した通信が許容されているか否かについて判定するように構成されている判定部１２を具備してもよい。
【０１７４】
本実施形態の第６の特徴において、判定部１２は、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」に含まれるＩＭＳＩに基づいて、交換局ＳＧＳＮ又はホーム加入者サーバＨＳＳのどちらが、移動局ＵＥに対してＥ-ＵＴＲＡＮを利用した通信が許容されているか否かについて判定すべきかを決定するように構成されていてもよい。
【０１７５】
本実施形態の第７の特徴は、移動通信方法であって、移動局ＵＥが、交換局ＭＭＥに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信する工程Ａと、交換局ＭＭＥが、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」（無線アクセスネットワークを利用した通信が許容されていない旨を示す情報を含む位置登録拒否信号）を送信する工程Ｂと、移動局ＵＥが、かかる「Ａｔｔａｃｈ  Ｒｅｊｅｃｔ」に応じて、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更する工程Ｃとを有することを要旨とする。
【０１７６】
本実施形態の第７の特徴において、工程Ｃにおいて、移動局ＵＥは、「Ａｔｔａｃｈ  Ｒｅｊｅｃｔ」や「Ｔｒａｃｋｉｎｇ  Ａｒｅａ  Ｕｐｄａｔｅ  Ｒｅｊｅｃｔ」や「Ｓｅｒｖｉｃｅ  Ｒｅｑｕｅｓｔ  Ｒｅｊｅｃｔ」や「Ｄｅｔａｃｈ  Ｒｅｑｕｅｓｔ」に「Ｅ-ＵＴＲＡＮ  ａｃｃｅｓｓ  ｐｒｏｈｉｂｉｔｅｄ（第１拒否理由）」が含まれている場合には、電源投入等の所定トリガが検出されるまで、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更し、工程Ｃにおいて、移動局ＵＥは、「Ａｔｔａｃｈ  Ｒｅｊｅｃｔ」や「Ｔｒａｃｋｉｎｇ  Ａｒｅａ  Ｕｐｄａｔｅ  Ｒｅｊｅｃｔ」や「Ｓｅｒｖｉｃｅ  Ｒｅｑｕｅｓｔ  Ｒｅｊｅｃｔ」や「Ｄｅｔａｃｈ  Ｒｅｑｕｅｓｔ」に「Ｎｏ  ｓｕｉｔａｂｌｅ  ｃｅｌｌｓ  ｉｎ  ｔｒａｃｋｉｎｇ  ａｒｅａ（第２拒否理由）」等が含まれている場合には、一時的に、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更してもよい。
【０１７７】
本発明の第８の特徴は、移動局ＵＥであって、「ＭＳ  Ｎｅｔｗｏｒｋ  Ｃａｐａｂｉｌｉｔｙ」の１つである「ＥＰＣ  Ｃａｐａｂｉｌｉｔｙ」を管理するように構成されている管理部２１と、交換局ＭＭＥに対して、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を送信するように構成されており、交換局ＭＭＥから、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を受信するように構成されているＡｔｔａｃｈ処理部２２とを具備し、管理部２１は、かかる「Ａｔｔａｃｈ  Ｒｅｊｅｃｔ」に応じて、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更するように構成されていることを要旨とする。
【０１７８】
本発明の第８の特徴において、管理部２１は、「Ａｔｔａｃｈ  Ｒｅｊｅｃｔ」や「Ｔｒａｃｋｉｎｇ  Ａｒｅａ  Ｕｐｄａｔｅ  Ｒｅｊｅｃｔ」や「Ｓｅｒｖｉｃｅ  Ｒｅｑｕｅｓｔ  Ｒｅｊｅｃｔ」や「Ｄｅｔａｃｈ  Ｒｅｑｕｅｓｔ」に「Ｅ-ＵＴＲＡＮ  ａｃｃｅｓｓ  ｐｒｏｈｉｂｉｔｅｄ」が含まれている場合には、電源投入等の所定トリガが検出されるまで、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更するように構成されており、管理部２１は、「Ａｔｔａｃｈ  Ｒｅｊｅｃｔ」や「Ｔｒａｃｋｉｎｇ  Ａｒｅａ  Ｕｐｄａｔｅ  Ｒｅｊｅｃｔ」や「Ｓｅｒｖｉｃｅ  Ｒｅｑｕｅｓｔ  Ｒｅｊｅｃｔ」や「Ｄｅｔａｃｈ  Ｒｅｑｕｅｓｔ」に「Ｎｏ  ｓｕｉｔａｂｌｅ  ｃｅｌｌｓ  ｉｎ  ｔｒａｃｋｉｎｇ  ａｒｅａ」等が含まれている場合には、一時的に、「ＭＳ  Ｎｅｔｗｏｒｋ  Ｃａｐａｂｉｌｉｔｙ」の１つとして設定されている「ＥＰＣ  Ｃａｐａｂｉｌｉｔｙ」の値を「１」から「０」に変更するように構成されていてもよい。
【０１７９】
本発明の第９の特徴は、交換局ＭＭＥであって、移動局ＵＥから、「ＥＰＣ  Ｃａｐａｂｉｌｉｔｙ：１」が設定されている「ＭＳ  Ｎｅｔｗｏｒｋ  Ｃａｐａｂｉｌｉｔｙ」を含む「Ａｔｔａｃｈ  Ｒｅｑｕｅｓｔ」を受信するように構成されている受信部１１と、移動局ＵＥに対してＥ-ＵＴＲＡＮを利用した通信を許可しないと判断した場合には、移動局ＵＥに対して、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」を送信するように構成されている送信部１４とを具備することを要旨とする。
【０１８０】
本発明の第９の特徴において、移動局ＵＥが、「ＵＴＲＡＮ（他の無線アクセスネットワーク）」に対応可能である場合には、送信部１４は、「Ｅ-ＵＴＲＡＮ  ａｃｃｅｓｓ  ｐｒｏｈｉｂｉｔｅｄ」を含む「Ａｔｔａｃｈ  Ｒｅｊｅｃｔ」や「Ｔｒａｃｋｉｎｇ  Ａｒｅａ  Ｕｐｄａｔｅ  Ｒｅｊｅｃｔ」や「Ｓｅｒｖｉｃｅ  Ｒｅｑｕｅｓｔ  Ｒｅｊｅｃｔ」や「Ｄｅｔａｃｈ  Ｒｅｑｕｅｓｔ」を送信するように構成されており、移動局ＵＥが、「ＵＴＲＡＮ」に対応可能でない場合には、送信部１４は、「Ｎｏ  ｓｕｉｔａｂｌｅ  ｃｅｌｌｓ  ｉｎ  ｔｒａｃｋｉｎｇ  ａｒｅａ」等を含む「Ａｔｔａｃｈ  Ｒｅｊｅｃｔ」や「Ｔｒａｃｋｉｎｇ  Ａｒｅａ  Ｕｐｄａｔｅ  Ｒｅｊｅｃｔ」や「Ｓｅｒｖｉｃｅ  Ｒｅｑｕｅｓｔ  Ｒｅｊｅｃｔ」や「Ｄｅｔａｃｈ  Ｒｅｑｕｅｓｔ」を送信するように構成されていてもよい。
【０１８１】
なお、上述のホーム加入者サーバＨＳＳやゲートウェイ装置Ｓ-ＧＷ/Ｐ-ＧＷや交換局ＭＭＥ/ＳＧＳＮや無線回線制御局ＲＮＣや無線基地局ｅＮＢ/ＮｏｄｅＢや移動局ＵＥの動作は、ハードウェアによって実施されてもよいし、プロセッサによって実行されるソフトウェアモジュールによって実施されてもよいし、両者の組み合わせによって実施されてもよい。
【０１８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ホーム加入者サーバＨＳＳやゲートウェイ装置Ｓ-ＧＷ/Ｐ-ＧＷや交換局ＭＭＥ/ＳＧＳＮや無線回線制御局ＲＮＣや無線基地局ｅＮＢ/ＮｏｄｅＢや移動局ＵＥ内に設けられていてもよい。また、かかる記憶媒体及びプロセッサは、ディスクリートコンポーネントとしてホーム加入者サーバＨＳＳやゲートウェイ装置Ｓ-ＧＷ/Ｐ-ＧＷや交換局ＭＭＥ/ＳＧＳＮや無線回線制御局ＲＮＣや無線基地局ｅＮＢ/ＮｏｄｅＢや移動局ＵＥ内に設けられていてもよい。
【０１８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１８５】
ＨＳＳ…ホーム加入者サーバ
Ｓ-ＧＷ、Ｐ-ＧＷ…ゲートウェイ装置
ＵＥ…移動局
ＭＭＥ、ＳＧＳＮ…交換局
ＲＮＣ…無線回線制御局
ｅＮＢ、ＮｏｄｅＢ…無線基地局
１１…受信部
１２…判定部
１３…ＨＳＳインターフェイス
１４…送信部
２１…管理部
２２…Ａｔｔａｃｈ処理部
【図１】
2010263604.tif 000003
【図２】
2010263604.tif 000004
【図３】
2010263604.tif 000005
【図４】
2010263604.tif 000006
【図５】
2010263604.tif 000007
【図６】
2010263604.tif 000008
【図７】
2010263604.tif 000009
【図８】
2010263604.tif 000010
【図９】
2010263604.tif 000011
【図１０】
2010263604.tif 000012
【図１１】
2010263604.tif 000013
【図１２】
2010263604.tif 000014
【図１３】
2010263604.tif 000015
【図１４】
2010263604.tif 000016
【図１５】
2010263604.tif 000017
【図１６】
2010263604.tif 000018
【図１７】
2010263604.tif 000019
【図１８】
2010263604.tif 000020